(57)【要約】【課題】短時間で視野異常が存在するか否かの検査を行うことができる視機能検査装置および視機能検査用プログラムを提供する。【解決手段】視機能検査装置であって、被検者眼の右眼に投影するための画像、または動画映像であって固視標が含まれる右眼用画像と、被検者眼の左眼に投影するための画像、または動画映像であって固視標が含まれる左眼用画像と、を呈示する呈示部と、呈示部にて右眼用画像と左眼用画像とを同時に呈示させる同時呈示制御と、呈示部にて右眼用画像と左眼用画像とを交互に呈示させる交互呈示制御と、を行う画像呈示制御部と、を有し、画像呈示制御部は、被検者に右眼用画像と左眼用画像とを融像させた融像画像を自覚させるために同時呈示制御を行い、融像画像と呈示部にて右眼用画像と左眼用画像とを交互に呈示させることにより被検者が自覚した画像との見え方の異なる部分の有無を検査するために交互呈示制御を行う。【選択図】図１
2018023446.tif 000002
【特許請求の範囲】
【請求項１】
被検者眼の視野異常の有無を検査する視機能検査装置であって、
前記被検者眼の右眼に投影するための画像、または動画映像であって固視標が含まれる右眼用画像と、前記被検者眼の左眼に投影するための画像、または動画映像であって固視標が含まれる左眼用画像と、を呈示する呈示部と、
前記呈示部にて前記右眼用画像と前記左眼用画像とを同時に呈示させる同時呈示制御と、前記呈示部にて前記右眼用画像と前記左眼用画像とを交互に呈示させる交互呈示制御と、を行う画像呈示制御部と、を有し、
前記画像呈示制御部は、被検者に前記右眼用画像と前記左眼用画像とを融像させた融像画像を自覚させるために前記同時呈示制御を行い、前記融像画像と前記呈示部にて前記右眼用画像と前記左眼用画像とを交互に呈示させることにより前記被検者が自覚した画像との見え方の異なる部分の有無を検査するために前記交互呈示制御を行うこと、
を特徴とする視機能検査装置。
【請求項２】
請求項１の視機能検査装置において、
前記右眼用画像と前記左眼用画像は、同一画像であること、
を特徴とする視機能検査装置。
【請求項３】
請求項１の視機能検査装置において、
前記右眼用画像と前記左眼用画像は、立体画像を生成するために互いに視差を有する画像であること、
を特徴とする視機能検査装置。
【請求項４】
請求項１の視機能検査装置において、
前記右眼用画像と前記左眼用画像は、形状同一で色の異なる画像であること、
を特徴とする視機能検査装置。
【請求項５】
被検者眼の視野異常の有無を検査する視機能検査用プログラムであって、
呈示部にて前記被検者眼の右眼に投影するための画像、または動画映像であって固視標が含まれる右眼用画像と、前記被検者眼の左眼に投影するための画像、または動画映像であって固視標が含まれる左眼用画像とを同時に呈示させる同時呈示処理と、前記呈示部にて前記右眼用画像と前記左眼用画像とを交互に呈示させる交互呈示処理と、をプロセッサに実行させるものであり、
被検者に前記右眼用画像と前記左眼用画像とを融像させた融像画像を自覚させるために前記同時呈示処理を前記プロセッサに実行させ、前記融像画像と前記呈示部にて前記右眼用画像と前記左眼用画像とを交互に呈示させることにより前記被検者が自覚した画像との見え方の異なる部分の有無を検査するために前記交互呈示処理を前記プロセッサに実行させること、
を特徴とする視機能検査用プログラム。
【発明の詳細な説明】
【技術分野】
【０００１】
本開示は、被検者眼の視野異常の有無を検査する視機能検査装置および視機能検査用プログラムに関するものである。
【背景技術】
【０００２】
特許文献１には、視野計による視野検査で疾患が確認された被検者を対象にした眼科装置が開示されており、この眼科装置は、疾患が確認された被検者が残された視機能を利用して物を見る訓練を行うことができる機能を備えている。
【先行技術文献】
【特許文献】
【０００３】
【特許文献１】特開２０１１−２５５０４５号公報
【発明の概要】
【発明が解決しようとする課題】
【０００４】
視野計による視野検査においては、緑内障などの疾患の早期発見を促進させるために、短時間で視野異常が存在するか否かの検査を行えるようにして、定期健診等の日常的な検査の中で容易に検査できるようにすることが望まれる。
【０００５】
そこで、本開示は上記した問題点を解決するためになされたものであり、短時間で視野異常が存在するか否かの検査を行うことができる視機能検査装置および視機能検査用プログラムを提供することを目的とする。
【課題を解決するための手段】
【０００６】
本開示における典型的な実施形態が提供する視機能検査装置は、被検者眼の視野異常の有無を検査する視機能検査装置であって、前記被検者眼の右眼に投影するための画像、または動画映像であって固視標が含まれる右眼用画像と、前記被検者眼の左眼に投影するための画像、または動画映像であって固視標が含まれる左眼用画像と、を呈示する呈示部と、前記呈示部にて前記右眼用画像と前記左眼用画像とを同時に呈示させる同時呈示制御と、前記呈示部にて前記右眼用画像と前記左眼用画像とを交互に呈示させる交互呈示制御と、を行う画像呈示制御部と、を有し、前記画像呈示制御部は、被検者に前記右眼用画像と前記左眼用画像とを融像させた融像画像を自覚させるために前記同時呈示制御を行い、前記融像画像と前記呈示部にて前記右眼用画像と前記左眼用画像とを交互に呈示させることにより前記被検者が自覚した画像との見え方の異なる部分の有無を検査するために前記交互呈示制御を行うこと、を特徴とする。
【０００７】
本開示における典型的な実施形態が提供する視機能検査用プログラムは、被検者眼の視野異常の有無を検査する視機能検査用プログラムであって、呈示部にて前記被検者眼の右眼に投影するための画像、または動画映像であって固視標が含まれる右眼用画像と、前記被検者眼の左眼に投影するための画像、または動画映像であって固視標が含まれる左眼用画像とを同時に呈示させる同時呈示処理と、前記呈示部にて前記右眼用画像と前記左眼用画像とを交互に呈示させる交互呈示処理と、をプロセッサに実行させるものであり、被検者に前記右眼用画像と前記左眼用画像とを融像させた融像画像を自覚させるために前記同時呈示処理を前記プロセッサに実行させ、前記融像画像と前記呈示部にて前記右眼用画像と前記左眼用画像とを交互に呈示させることにより前記被検者が自覚した画像との見え方の異なる部分の有無を検査するために前記交互呈示処理を前記プロセッサに実行させること、を特徴とする。
【発明の効果】
【０００８】
本開示の視機能検査装置および視機能検査用プログラムによれば、短時間で視野異常が存在するか否かの検査を行うことができる。
【図面の簡単な説明】
【０００９】
【図１】視機能検査装置の概略構成図である。
【図２】右眼用画像と左眼用画像が同一画像である場合の画像例を示す図である。
【図３】図２の画像について交互呈示制御を行うことにより被検者が自覚する画像の一例を示す図である。
【図４】右眼用画像と左眼用画像が立体画像を生成するために互いに視差を有する画像である場合の画像例を示す図である。
【図５】右眼用画像と左眼用画像が形状同一で色の異なる画像である場合の画像例を示す図である。
【発明を実施するための形態】
【００１０】
本開示の典型的な実施形態を図面に基づいて説明する。本実施形態の視機能検査装置１は、被検者眼の視野異常の有無を検査する装置である。この視機能検査装置１は、図１に示すように、筐体部１１と、呈示部１２と、光学系１３と、制御部１４などを有している。
【００１１】
筐体部１１の内部には、呈示部１２と光学系１３などが設けられている。筐体部１１は、様々な態様が考えられ、例えば、ヘッドマウント型やゴーグル型などの被検者に装着可能な態様に形成されていることが考えられる。これにより、例えば被検者が病院の待合室等で診察を待つ間に、被検者が座ったまま検査することが可能となる。また、筐体部１１は、病院の待合室等に設置するような据え置き型の態様に形成されていてもよい。これにより、検者の手を煩わせることなく、被検者自身で検査することが可能となる。
【００１２】
呈示部１２は、画像の呈示（表示）を行うディスプレイであり、被検者が筐体部１１の内部を覗き込んだときに被検者眼の前方に配置され、被検者眼に対して画像を投影する。呈示部１２は、例えば、液晶ディスプレイ（ＬＣＤ）により構成されている。
【００１３】
本実施形態では、呈示部１２は、右眼用呈示部１２Ｒと左眼用呈示部１２Ｌを備えている。そして、右眼用呈示部１２Ｒは被検者眼の右眼に対して右眼用画像を投影し、左眼用呈示部１２Ｌは被検者眼の左眼に対して左眼用画像を投影する。このようにして、呈示部１２は、被検者の両眼に対して個別に独立した画像（刺激画像）を投影することができる。
【００１４】
光学系１３は、筐体部１１にて被検者が覗き込む部分と呈示部１２との間に設けられている。本実施形態では、光学系１３は、右眼用光学系１３Ｒと左眼用光学系１３Ｌとを備えている。右眼用光学系１３Ｒと左眼用光学系１３Ｌは、各々、例えば、接眼レンズ、対物レンズ、ミラー等の光学要素を組み合わせて構成されている。なお、本実施形態では、光学系１３を調整することにより、右眼用画像と左眼用画像を、各々、被検者眼の視野角（画角）の４５°以上の範囲に亘って投影させるようにする。ここで、被検者眼の視野角とは、被検者眼が正面を見る際の基準軸を中心にして被検者が見ることができる範囲を示す角度である。
【００１５】
制御部１４は、所定のプログラムで指示された情報処理を行う機能を有し、視機能検査装置１の全体の制御を司る。制御部１４は、具体的には、ＣＰＵ、ＨＤＤ、ＲＯＭ、ＲＡＭ、外部インタフェース（Ｉ／Ｆ）等の組み合わせによって構成されている。この制御部１４は、図１に示す例では筐体部１１の外部に設けられているが、筐体部１１の内部に設けられていてもよい。
【００１６】
制御部１４は、通信部２１と、画像呈示制御部２２などを備えている。通信部２１は、筐体部１１内の呈示部１２との間の通信を行う。例えば、通信部２１は、後述する画像呈示制御部２２が指示した画像のデータを呈示部１２へ送る。
【００１７】
画像呈示制御部２２は、呈示部１２における画像の呈示を制御する。画像呈示制御部２２は、液晶シャッタまたは呈示部１２に備わるメカニカルシャッタ（不図示）を制御することにより、右眼用呈示部１２Ｒと左眼用呈示部１２Ｌにおいて画像の呈示のオンとオフを切り替える。そして、これにより、画像呈示制御部２２は、右眼用呈示部１２Ｒと左眼用呈示部１２Ｌに各々右眼用画像と左眼用画像とを同時に呈示させたり、右眼用呈示部１２Ｒのみに右眼用画像を呈示させたり、左眼用呈示部１２Ｌのみに左眼用画像を呈示させたりすることができる。
【００１８】
なお、図１に示す視機能検査装置１は、両眼で１つの筐体部１１の内部を覗き込む双眼覗き込み型の装置であるが、これに限定されず、右眼と左眼で各々、別の筐体部の内部を覗き込む双眼分離型の装置であってもよい。
【００１９】
以上のような構成の視機能検査装置１は、画像呈示制御部２２により呈示部１２にて右眼用画像と左眼用画像とを同時に呈示させる同時呈示制御を行うことができる。すなわち、画像呈示制御部２２により、右眼用呈示部１２Ｒにて右眼用画像を、左眼用呈示部１２Ｌにて左眼用画像を、同時に呈示させることができる。これにより、右眼用呈示部１２Ｒにて呈示された右眼用画像が右眼用光学系１３Ｒを介して被検者の右眼ＥＲに投影されると同時に、左眼用呈示部１２Ｌにて呈示された左眼用画像が左眼用光学系１３Ｌを介して被検者の左眼ＥＬに投影される。
【００２０】
また、視機能検査装置１は、画像呈示制御部２２により呈示部１２にて右眼用画像と左眼用画像とを交互に呈示させる交互呈示制御を行うことができる。すなわち、画像呈示制御部２２により、右眼用呈示部１２Ｒにて右眼用画像を、左眼用呈示部１２Ｌにて左眼用画像を、交互に呈示させることができる。これにより、右眼用呈示部１２Ｒにて呈示された右眼用画像が右眼用光学系１３Ｒを介して被検者の右眼ＥＲに投影されることと、左眼用呈示部１２Ｌにて呈示された左眼用画像が左眼用光学系１３Ｌを介して被検者の左眼ＥＬに投影されることとが交互に行われる。
【００２１】
ここで、緑内障は、一方の眼にその症状が発生する片眼性のものや、または、両方の眼にその症状が発生する両眼性のものであっても右眼と左眼で発症する箇所が異なるものがある。そうすると、緑内障の疾患を持つ患者は、例えば、一方の眼に緑内障の発症による視野異常（例えば、緑内障の発症に伴って生じる暗点や感度低下による視野欠損）が存在しているとしても、他方の眼の視覚情報により脳内で充填されるため、一方の眼における視野異常の存在を自覚し難い。そのため、視野異常の存在を自覚しないまま緑内障が進行してしまうおそれがある。そこで、緑内障は主に加齢と共に発症する疾患であるため、企業健診や生活習慣病健診などの定期的に行われる集団健診（以下、「定期健診」という。）において定期的に視機能検査を行って緑内障の早期発見を促進させることが望まれる。
【００２２】
しかしながら、従来技術における視機能検査装置（例えば、ハンフリー視野計）は、基本的に片眼検査で行われ、被検者が固視標を固視し続けながら投影された刺激点が視野のどこかで視認できた時に応答ボタンを押すことにより、刺激点の投影条件と被検者の応答の結果をもとに各種統計的処理を施すことで被検眼の緑内障の発症の有無等を検査する。このように、従来技術における視機能検査装置は、基本的に片眼検査で行われ、かつ、精密な検査を行うものであるため、検査時間が長くなり、また、装置構成が複雑で製造コストが高いため高価になり易い。さらに、被検者に対して自覚に基づくやや難しい応答を要求する検査となるため、検査結果は被検者の年齢や学習性によって変動し易い。そのため、１回の健診だけでは診断が困難になり易い。このようなことから、従来技術における視機能検査装置は、定期健診において視機能検査を行うような使用態様に対応しているとは言えない。
【００２３】
これに対して、本実施形態の視機能検査装置１では、このような従来技術における視機能検査装置の課題を解決でき、定期健診において視機能検査を行うような使用態様に対応させることができる。そこで、本実施形態の視機能検査装置１を用いた視機能検査の実施例を説明する。
【００２４】
まず、検査前の準備として、被検者は、筐体部１１の内部を覗き込み、両眼で光学系１３を通して呈示部１２を見る。具体的には、被検者は、右眼により右眼用光学系１３Ｒを通して右眼用呈示部１２Ｒを見て、左眼により左眼用光学系１３Ｌを通して左眼用呈示部１２Ｌを見る。
【００２５】
そして、画像呈示制御部２２は、呈示部１２にて右眼用画像と左眼用画像とを同時に呈示させる同時呈示制御を行う。すなわち、画像呈示制御部２２は、右眼用呈示部１２Ｒにおいて右眼用画像を、左眼用呈示部１２Ｌにおいて左眼用画像を、同時に呈示させる。
【００２６】
ここで、右眼用画像と左眼用画像は、例えば、図２に示すような同一画像とする。図２示す例において、右眼用画像と左眼用画像は、幾何学模様のテクスチャとして、例えば格子チャートの画像としている。なお、右眼用画像と左眼用画像は、これに限定されず、例えば、同心円パターンが表された画像や放射線チャートの画像であってもよく、また、風景画像や文字列が表示された画像であってもよい。
【００２７】
そして、図２に示すように、右眼用画像と左眼用画像の中心には、固視標Ｍが配置されている。そこで、被検者は、右眼用画像における固視標Ｍを右眼で固視し、左眼用画像における固視標Ｍを左眼で固視する。
【００２８】
そして、このようにして検査の準備を行った後、検者は被検者に対して「検査中は固視標Ｍの固視を続けて、その間に呈示される固視標Ｍの周辺画像に対してできるだけ視線を動かさないこと、及び検査中に固視標Ｍの周辺含む全視野の中に他の場所と見え方が異なるような違和感を覚えた場合にはその場所を大凡でいいので記憶すること」と、説明する。
【００２９】
なお、検査を開始する前に、事前に、呈示部１２に呈示する画像の一部を意図的に欠損させたトレーニング画像を被検者に見せておき、被検者に対して視野異常が存在する場合にはどのような画像の見え方になるのか（どのような違和感を覚えるか）について理解させておいてもよい。これにより、検査が行い易くなる。
【００３０】
そして、検査を開始すると、画像呈示制御部２２は、同時呈示制御と交互呈示制御とを行う。例えば、画像呈示制御部２２は、同時呈示制御を所定時間行った後に、交互呈示制御を所定時間行い、そして、このように同時呈示制御と交互呈示制御を行う処理を複数回繰り返して行う。一例として、画像呈示制御部２２は、同時呈示制御を１５秒間行った後に、交互呈示制御を１５秒間行い、このような同時呈示制御と交互呈示制御を行う処理を合計２回行う。また、交互呈示制御を行う際に画像を切り替える速さを表すスイッチング周波数は、被検者が画像の切り替えを自覚し難い周波数として、例えば、６０Ｈｚ以上とすることが望ましい。
【００３１】
すると、画像呈示制御部２２が同時呈示制御を行ったときには、被検者は、右眼用画像と左眼用画像とを融像させた融像画像を自覚する。ここで、例えば、被検者の右眼に視野異常が存在する場合を想定する。この場合、被検者の右眼は、視野異常により右眼用画像において認識が困難な視覚的欠落部分α（認識できない、あるいは、認識し難い部分であって、例えば、図２にて破線で示すαの内側の部分）が存在している。しかしながら、被検者の脳に対して右眼用画像と左眼用画像の両画像の情報が同時に入っている状態であるので、視覚的欠落部分αの情報は、左眼用画像の情報により充填される。したがって、被検者は、右眼用画像と左眼用画像とを融像させた融像画像として、視覚的欠落部分αが存在していない画像、すなわち、例えば図２に示す画像において視覚的欠落部分αが存在していない画像を自覚する。
【００３２】
そして、このように被検者が右眼用画像と左眼用画像とを融像させた融像画像を自覚した状態で、画像呈示制御部２２は、交互呈示制御を行う。そして、これにより、前記のように同時呈示制御を行うことにより被検者が自覚した融像画像と、交互呈示制御を行うことにより被検者が自覚した画像との見え方の異なる部分の有無を検査することができる。
【００３３】
すなわち、交互呈示制御を行うことにより右眼用画像と左眼用画像とを交互に呈示させたときには、被検者の脳に対して右眼用画像と左眼用画像の両画像の情報が同時に入っていない状態になる。すなわち、被検者の脳に対して右眼用画像の情報が入っているときには左眼用画像の情報が入っていない一方で、被検者の脳に対して左眼用画像の情報が入っているときには右眼用画像の情報が入っていない状態になる。
【００３４】
これにより、被検者が視野異常により右眼用画像において認識が困難な視覚的欠落部分αの情報は、左眼用画像の情報により十分に充填され難くなる。これは、交互呈示制御を行うときには、左右眼それぞれの視覚情報について投影と遮断が常時繰り返されるため、視野異常を有さない側の眼の視覚情報による視野異常部分への充填が安定して作用しなくなるためと思われる。したがって、交互呈示制御を行うことにより被検者が自覚した画像において、視野異常部分と視野異常部分以外の部分とで差分が生じる。ゆえに、被検者は、前記のように差分が生じた部分を、同時呈示制御が行われることにより自覚した融像画像との見え方が異なる部分として認識できる。
【００３５】
例えば、図３に示すように、被検者は、視野異常部分に相当する視覚的欠落部分αが当該視覚的欠落部分α以外の部分よりも見え難く（例えば、格子を形成する線の濃淡が薄く、あるいは、格子を形成する線がぼやけるように）感じる部分として認識及び記憶できる。そして、検査終了後に、被検者は、同時呈示制御を行うことにより自覚した融像画像と、交互呈示制御を行うことにより被検者が自覚した画像との見え方が異なる部分の有無と場所を検者に伝える。
【００３６】
ここで、このような交互呈示制御を行う際において、低速で（例えば、１Ｈｚで）右眼用画像と左眼用画像とを交互に呈示させたときを想定する。すると、このとき、右眼と左眼の各々の眼に対して右画像と左画像が連続して投影される時間が長くなる（すなわち、右眼用画像と左眼用画像とを交互に呈示させずに、右眼用画像または左眼用画像の一方のみ呈示した状態に近くなる）ので、例えば視野異常のある右眼に対して右眼用画像が連続して投影される時間が長くなる。そうすると、被検者の脳内において、被検者が視野異常により右眼用画像において認識が困難な視覚的欠落部分αの情報は、右眼用画像における視覚的欠落部分αの周辺部分の情報により充填され易くなる。すなわち、被検者の脳は、右眼用画像における視覚的欠落部分αの周辺部分の情報を参考にして、視覚的欠落部分αの情報を疑似的に作成し得ると考えられる。以上のことから、低速で右眼用画像と左眼用画像とを交互に呈示させたときには、被検者が自覚した画像において、視野異常部分と視野異常部分以外の部分とで差分が生じ難くなる。
【００３７】
また、低速で右眼用画像と左眼用画像とを交互に呈示させたときには、被検者は画像の切り替えを自覚して画像のチラつきを感じ易くなるので、この画像のチラつきの影響によっても、被検者が自覚した画像において、視野異常部分と視野異常部分以外の部分とで差分が生じ難くなる。
【００３８】
以上のように、低速で右眼用画像と左眼用画像とを交互に呈示させたときには、被検者が自覚した画像において、視野異常部分と視野異常部分以外の部分とで差分が生じ難くなるので、被検者は、前記のように差分が生じた部分を、同時呈示制御が行われることにより自覚した融像画像との見え方が異なる部分として認識し難くなる。
【００３９】
これに対して、本実施形態では、高速（例えば、６０Ｈｚ）で右眼用画像と左眼用画像とを交互に呈示させている。そのため、右眼と左眼の各々の眼に対して右画像と左画像が連続して投影される時間が短くなる（すなわち、右眼と左眼の各々の眼に対して投影される画像は点滅している状態になる）ので、例えば視野異常のある右眼に対して右眼用画像が連続して投影される時間が短くなる。そうすると、被検者の脳内において、被検者が視野異常により右眼用画像において認識が困難な視覚的欠落部分αの情報は、右眼用画像における視覚的欠落部分αの周辺部分の情報により充填され難くなると推測される。すなわち、被検者の脳は、右眼用画像における視覚的欠落部分αの周辺部分の情報から、視覚的欠落部分αでの充填知覚がし難くなると考えられる。以上のことから、高速で右眼用画像と左眼用画像とを交互に呈示させたときには、被検者が自覚した画像において、視野異常部分と視野異常部分以外の部分とで差分が生じ易くなる。
【００４０】
また、高速で右眼用画像と左眼用画像とを交互に呈示させたときには、被検者は画像の切り替えを自覚し難く画像のチラつきを感じ難くなるので、この画像のチラつきの影響を受け難く、被検者が自覚した画像において、視野異常部分と視野異常部分以外の部分との差分を自覚し易くなる。
【００４１】
以上のように、本実施形態では、高速で右眼用画像と左眼用画像とを交互に呈示させるので、被検者が自覚した画像において、視野異常部分と視野異常部分以外の部分とで差分が生じ易くなる。そのため、被検者は、前記のように差分が生じた部分を、同時呈示制御が行われることにより自覚した融像画像との見え方が異なる部分として認識し易くなる。
【００４２】
そして、被検者が「○○の箇所が見えにくく感じた」のように特定の場所の見え方が異なった（見え方に違和感を覚えた）と検者に伝えた場合は、検者は「両眼のどちらかの眼の特定の場所に視野異常が存在しているおそれがあるので、さらに精密な視機能検査を行う必要がある。」と診断して、検査は終了する。このようにして、右眼または左眼のいずれかに視野異常が存在していることを検出できる。一方、被検者が「特に見え方に違和感を覚える場所は無かった」と検者に伝えたときには、検者は「被検者の両眼において視野異常が存在しない」と診断して、検査は終了する。
【００４３】
このようにして、本実施形態では、被検者の右眼と左眼について、同時に視機能検査を行うことができる。また、右眼用画像と左眼用画像とを同時に呈示させ、かつ、右眼用画像と左眼用画像とを交互に呈示させるだけでよいので、簡易な手法で検査を済ませることができる。そのため、短時間（例えば、１分以内）で視野異常が存在するか否かの検査が可能になる。したがって、本実施形態の視機能検査装置１によれば、定期健診のような日常的な検査の中で、視野異常が存在するか否かを検査することができる。また、簡易な装置構成により製造コストを低減できるので、安価にすることができる。さらに、被検者に対して複雑なタスクは要求しないので、検査結果が被検者の年齢や学習効果によって変動し難い。そのため、被検者の慣れなどによる検査結果の信頼性への影響が生じ難く、１回の検査で診断を済ませることができる。
【００４４】
なお、右眼用画像と左眼用画像は、立体画像を生成するために互いに視差を有する画像としてもよい。例えば、右眼用画像と左眼用画像は、図４に示すような花の立体画像を生成するため画像とする。これにより、画像呈示制御部２２が同時呈示制御を行ったときに、被検者は、右眼用画像と左眼用画像とを融像させた融像画像として、全体に亘って立体感を覚える立体画像を自覚する。そして、被検者眼において視野異常が存在する場合には、被検者は、同時呈示制御を行うことにより自覚した融像画像と、交互呈示制御を行うことにより被検者が自覚した画像との見え方が異なる部分として、例えば、視野異常部分に相当する部分において立体感が感じられなくなる。これにより、右眼または左眼のいずれかに視野異常が存在することを検出できる。
【００４５】
また、右眼用画像と左眼用画像は、形状同一で色の異なる画像であるとしてもよい。このとき、例えば、右眼用画像と左眼用画像は、図５に示すように複数の模様が配置された画像であって同じ位置に配置される模様について形状が同一であるが色が異なる画像（例えば、一方の画像が赤色で、他方の画像が青色）とする。これにより、画像呈示制御部２２が同時呈示制御を行ったときに、被検者は、右眼用画像と左眼用画像とを融像させた融像画像として、全体に亘って２つの色を混ぜたような色（例えば、紫色）、あるいは、２つの色とは異なる無彩色の模様の画像を自覚する。
【００４６】
そして、被検者眼において視野異常が存在する場合には、画像呈示制御部２２が同時呈示制御と交互呈示制御を行うことにより、被検者は、同時呈示制御を行うことにより自覚した融像画像と、交互呈示制御を行うことにより被検者が自覚した画像との見え方が異なる部分として、視野異常部分に相当する部分が他の部分と色合いが異なっていると感じる。例えば、被検者は、「全体的には紫色であるが、○○の箇所だけが赤色や青色に近い色になっており色合いが異なっている」、または、「全体的には赤色（青色）であるが、○○の箇所だけが青色（赤色）になっており色合いが異なっている」と感じる。これにより、右眼または左眼のいずれかに視野異常が存在することを検出できる。
【００４７】
なお、画像呈示制御部２２が同時呈示制御と交互呈示制御を行う順序は特に限定されず、画像呈示制御部２２は、交互呈示制御を行った後に、同時呈示制御を行ってもよい。
【００４８】
また、右眼用画像と左眼用画像は、静止画像に限られず、説明し易いストーリー性を有する動画映像であってもよい。ここで、右眼用画像と左眼用画像が例えば図２に示すような格子図柄の静止画像である場合には、格子図柄の格子枠内に視野異常部分が位置する（つまり、格子図柄の線と視野異常部分とが重ならない）と、患者は、視野異常部分を自覚し難くなると考えられる。これに対し、右眼用画像と左眼用画像が動画映像である場合には、像は一定でないため、視野異常部分に何かしらの図柄が位置する可能性があり、患者は視野異常部分を自覚し易いと考えられる。そして、このとき、右眼用画像と左眼用画像は、例えば、同一動画映像とすることが望ましい。また、呈示部１２は、１つのディスプレイで形成されており、当該ディスプレイに仕切りを設けておき、仕切りの両側に各々右眼用画像と左眼用画像が呈示されるものとしてもよい。
【００４９】
以上のように、本実施形態の視機能検査装置１において、画像呈示制御部２２は、被検者に右眼用画像と左眼用画像とを融像させた融像画像を自覚させるために同時呈示制御を行う。そして、さらに、画像呈示制御部２２は、前記の融像画像と、呈示部１２にて右眼用画像と左眼用画像とを交互に呈示させることにより被検者が自覚した画像との見え方の異なる部分の有無を検査するために交互呈示制御を行う。
【００５０】
このように、本実施形態では、同時呈示制御により被検者に右眼用画像と左眼用画像とを融像させた融像画像を自覚させるとともに、交互呈示制御が行われる。ここで、交互呈示制御にて右眼用画像と左眼用画像とを交互に呈示させるときには、被検者の脳に対して右眼用画像と左眼用画像の両画像の情報が同時に入っていない状態になる。このとき、例えば、右眼（左眼）に視野異常が存在する場合に、被検者が視野異常により右眼用画像（左眼用画像）において認識できない部分の情報を、左眼用画像（右眼用画像）の情報で十分に充填し難くなる。そのため、交互呈示制御により右眼用画像と左眼用画像とを交互に呈示させることにより被検者が自覚する画像において、視野異常部分と視野異常部分以外の部分とで差分が生じる。したがって、被検者は、前記の差分が生じた部分を、同時呈示制御により自覚した融像画像との見え方が異なる部分として認識できるので、右眼または左眼のいずれかに視野異常が存在することを検出できる。
【００５１】
このようにして、本実施形態では、右眼と左眼について同時に、右眼または左眼のいずれかに視野異常が存在するか否かについての視機能検査を行うことができる。また、右眼用画像と左眼用画像とを同時に呈示させ、かつ、右眼用画像と左眼用画像とを交互に呈示させるだけでよいので、簡易な手法で検査を済ませることができる。そのため、短時間で視野異常が存在するか否かの検査が可能になる。したがって、定期健診のような日常的検査において視野異常が存在するか否かを検査することができるので、例えば緑内障の疾患がある患者に早期段階で緑内障の発症に伴って生じる暗点や感度低下による視野欠損を自覚させることができる。そして、このようにして、緑内障などの疾患の早期発見を促進させることができる。また、簡易な装置構成で検査を行うことができるので、装置の製造コストを低減させることができる。
【００５２】
そして、右眼用画像と左眼用画像は、同一画像とする。これにより、呈示部１２にて呈示される右眼用画像と左眼用画像との間には元々差異が存在しないので、交互呈示制御を行うことにより被検者が自覚した画像において視野異常部分と視野異常部分以外の部分とで差分が強調され易くなる。そのため、安定した検査を行うことができる。
【００５３】
また、右眼用画像と左眼用画像は、立体画像を生成するために互いに視差を有する画像としてもよい。これにより、被検者が自覚した画像において、視野異常部分に相当する部分において立体感が感じられなくなるので、右眼または左眼のいずれかに視野異常が存在することを検出できる。
【００５４】
また、右眼用画像と左眼用画像は、形状同一で色の異なる画像としてもよい。これにより、被検者が自覚した画像において、視野異常部分に相当する部分において色合いが異なるように感じられるので、右眼または左眼のいずれかに視野異常が存在することを検出できる。
【００５５】
なお、呈示部１２は、右眼用画像と左眼用画像として、同一画像と、立体画像を生成するために互いに視差を有する画像と、形状同一で色の異なる画像のうちの少なくとも一つを選択して呈示できるようにしておけば、被検者に応じて画像を選択することができる。このとき、画像の選択は、被検者または検者が行うとしてもよい。これにより、被検者に応じた検査を行うことができるので、被検者に関わらず検査の精度を維持できる。また、交互呈示制御を行う際に画像を切り替える速さを表すスイッチング周波数（呈示切替周波数）を選択する機能を有することで、視野異常の程度や被検者の年齢などに応じた適切な検査が可能になる。
【００５６】
また、変形例として、制御部１４に接続するメモリ（不図示）や制御部１４にて再生可能なディスク（不図示）などに記憶されるプログラムが、呈示部１２にて右眼用画像と左眼用画像とを同時に呈示させる同時呈示処理と、呈示部１２にて右眼用画像と左眼用画像とを交互に呈示させる交互呈示処理と、を制御部１４に備わるプロセッサ（不図示）に実行させるとしてもよい。このとき、当該プログラムは、被検者に右眼用画像と左眼用画像とを融像させた融像画像を自覚させるために同時呈示処理を制御部１４に備わるプロセッサに実行させ、さらに、融像画像と呈示部１２にて右眼用画像と左眼用画像とを交互に呈示させることにより被検者が自覚した画像との見え方の異なる部分の有無を検査するために交互呈示処理を制御部１４に備わるプロセッサに実行させる。
【００５７】
なお、上記した実施の形態は単なる例示にすぎず、本開示を何ら限定するものではなく、その要旨を逸脱しない範囲内で種々の改良、変形が可能であることはもちろんである。
【符号の説明】
【００５８】
１  視機能検査装置
１１  筐体部
１２  呈示部
１２Ｒ  右眼用呈示部
１２Ｌ  左眼用呈示部
１３  光学系
１３Ｒ  右眼用光学系
１３Ｌ  左眼用光学系
１４  制御部
２１  通信部
２２  画像呈示制御部
ＥＲ  右眼
ＥＬ  左眼
Ｍ  固視標
α  視覚的欠落部分
【図１】
2018023446.tif 000003
【図２】
2018023446.tif 000004
【図３】
2018023446.tif 000005
【図４】
2018023446.tif 000006
【図５】
2018023446.tif 000007